(57)【要約】【課題】本発明の消滅型ポータブルトイレは、従来のポータブルトイレの抱えている課題を克服し、医療・介護・看護現場及び一般家庭や移動可能仮設トイレ等における有機物消滅ポータブルトイレを提供する。【解決手段】本発明の消滅型ポータブルトイレ図１‐１に消滅資材７を投入し、一般商用電力及び電力の無い場所等でも、ソーラーパネルと蓄電池を併用する事により、必要とする電力を供給する事が可能となる。災害時における仮設トイレや山岳・海浜等の場所においても蓄電池・回転体４により、回転羽根１１が回転する事により、排泄された有機物と消滅資材が撹拌・混合され、排泄物を効率良く消滅処理する事を特徴とする消滅型ポータブルトイレである。【選択図】図１
2019051283.tif 000002
【特許請求の範囲】
【請求項１】
上蓋の開閉機能をもち、好気・嫌気性菌と燻蒸籾殻及び木質チップを混合させた消滅資材が投入されている消滅型ポータブルトイレ内部に、回転軸を中心とした複数個の羽根を取付けた回転体が可動する事により内部資材が天地返し（切り返し）、有機排泄物と混合する機能を持つ消滅型ポータブルトイレ。
【請求項２】
前記消滅型ポータブルトイレ中央下部に、撹拌羽根が左右対称となるよう複数個取付けられ、処理槽の大きさにより回転体を複数取付ける事も可能に構成されている事を特徴とする消滅型ポータブルトイレ。
【請求項３】
請求項１・２に記載された消滅型ポータブルトイレ本体下部に発熱体（特許第３９９７１７９号）を取付けてある事を特徴とする消滅型ポータブルトイレ。
【請求項４】
前記請求項１に記載の消滅型ポータブルトイレ上部上蓋を開閉した場合、数十秒〜数分間切り返し回転体が可動・停止し、その時における可動時間の調整が可能な特徴を持つ消滅型ポータブルトイレ。尚、前記２・３の動力及び発熱体（特許第３９９７１７９号）の一次電源として商用電力のみならず、ソーラーパネル発電と蓄電池を併用し可動できる事も特徴とする消滅型ポータブルトイレ。
【請求項５】
請求項１に記載の消滅型ポータブルトイレ本体外側部に、排水用のドレンバルブ・ドレンパイプを取付けてある事を特徴とする消滅型ポータブルトイレ。
【請求項６】
前記請求項４に記載の回転体動力源として、商用電力のみならず、ソーラーパネルから発電される電力と併用してある蓄電池からの電源で可動する事ができる。また、電源を一切使用せず、手動での可動も可能な事を特徴とする消滅型ポータブルトイレ。
【発明の詳細な説明】
【技術分野】
【技術分野】
【０００１】本発明は、排出される有機物を簡便に処理する事が可能な消滅型ポータブルトイレ。【０００２】緊急災害時や介護・看護・看病時、また、山岳や海浜のアウトドア活動や工事現場・イベント等の仮設、大中小の車輌搭載時のトイレ機能に関する。
【背景技術】
【０００３】緊急災害時の避難場所、また、山岳や海浜等の休憩所及びその他の必要とする場所、各地域における各種活動状況においての仮設トイレ設置・使用状況は異なるが、従来の処理方式としては、生物・化学処理が中心となり、使用に関して多くの労力と費用を必要としている。【０００４】従来、大掛りな施設・設備を必要としていたが、最近では袋内部にて化学変化をさせ、持ち帰り可能となる処理技術等が知られている。【０００５】病院・介護所等は各自ポータブルトイレを用意し活用しているが、介護士・看護師により再度トイレ等へ運び出し処理しているのが現状であり、これらの処問題を解決し、利便性や経済性を向上させる消滅型ポータブルトイレの提案である。
【発明の開示】
【０００６】本発明は、従来の技術課題を克服し、特にポータブルトイレや移動式仮設トイレ・介護用個人向けトイレ等の、使用場所を特定しないなか排泄される有機物を消滅処理する事。
【０００７】本発明は、上述する各使用現場における労力の軽減や処理の簡素化及び快適な生活を送るべく様々な状況下で排出される有機物を、場所を選ぶ事なく簡便に処理をする。
【課題を解決するための手段】
【０００８】本発明は、上記の課題を解決するため、一般的なポータブルトイレを使用し、開口部及び座面が形成された便座と有用微生物資材を投入する槽において排出される有機物と消滅資材を槽内部において撹拌・混合する回転体を槽内部に設け、使用後一定時間撹拌する回転体により形成されている消滅型トイレを提供するものである。
【発明の効果】
【０００９】本発明は、消滅型トイレ本体内部サイズの高さ１／４に設定した回転軸に、上下左右複数箇所に棒状の羽根を取付け、内部の消滅資材を処理槽内１／２の高さで撹拌・混合する。
【００１０】その結果として、消滅槽内部に投入されている消滅有用菌により排出される有機物の分解処理が効率良く行われ、短時間にて有機排泄物を分解消滅処理する事ができる。
【００１１】冬季間や寒冷地等での温度変化においても、槽内部に設置している面状発熱体（特許第３９９７１７９号）により一定の温度を確保する事により、消滅有用菌の働きを通年活性化する事が可能となる。
【００１２】商用電力のない場所等においても、小型ソーラーパネル及び蓄電池を接続し併用する事により必要な電力が供給され、夜間においても発熱体・回転体にかかる必要な電力を供給する事が可能となり、常時排出される有機物を安定的に消滅処理できる。
【発明を実施するための最良の形態】
【００１３】以下、本発明を実施するための最良の形態における消滅型ポータブルトイレについて、図１乃至図３に基づいて説明する。【００１４】図１に示すように、本実施形態の消滅型ポータブルトイレは、一般的に使用されている。ポータブルトイレ１に座面２を備え上蓋３を開け使用する。【００１５】図１‐７に示す消滅資材と有機排泄物とが、回転体９に構成される回転羽根により、撹拌・混合される。【００１６】図１‐７に示す消滅資材は、好気性菌及び嫌気性菌を含む分解菌として使用し、燻状籾殻と木質チップを主としている菌床と比率配分され構成されている。【００１７】図１‐３に示す開閉上蓋を開き、有機排泄物を排泄又は投入し上蓋を閉じると、図１‐４に示す回転体が始動する。
動力となる電力は図３‐１４に示すソーラーパネルより接点２５ａ・２５ｂから電線２１ａ・２１ｂを介して蓄電池１５の入力端子１８ａから供給される、蓄電池出力端子１８ｂから蓄電池出力電線２２ａ・２２ｂを通じ、回転モータースイッチ接点２０ａ・２０ｂを通し回転用モーターに供給される。回転体はソーラーパネルより発電・充電されている蓄電池１５から一次電源へ供給された電力により、回転体図２‐１０が始動する。【００１８】図２‐１０に示す回転体は、上蓋３が閉じる事により接点２０ａ・２０ｂが継がり、回転体１６へ一次電源が供給される事により、蓋連動回転体１６が一定時間回転撹拌し、有機排泄物と消滅資材とを混合させる方式となっている。【００１９】図１に示す消滅型ポータブルトイレは、本体を形成するにあたり特に限定はしないが、加工性・コスト面・軽量である事が好ましく、耐熱・硬質樹脂・プラスチック等が好適である。【００２０】図１‐８に示す底部ヒーター（特許第３９９７１７９号）を合わせ装着する事により、消滅型ポータブルトイレ槽内部に定量投入してある消滅資材７の温度を、通年、好・嫌気性菌の最適な温度環境にする事が可能であるとともに、冬季間における環境温度の低い地域においても十分な温度を確保し、能力を発揮する事が可能である。【００２１】底部加温ヒーター（特許第３９９７１７９号）は、図３の示すソーラーパネル１４より発電し、蓄電池１５に蓄え供給出来る事から、従来の山岳・海浜等のアウトドアやイベント、また、工事現場等の仮設における商用電力が無い場所や天変地異などにより不慮の災害時における緊急避難場所等においても設置が可能である。【００２２】消滅型ポータブルトイレの一次電源は、商用電力の有無に関らず使用が可能である。【００２３】図１に示すドレンパイプ５は、ドレンコック６を開閉する事により消滅型ポータブルトイレ内部に溜った小水を排出する際に開け、別途容器にて液肥としても利用可能であり、また、別途トイレ等に廃棄してもよい。【００２４】図２に示す回転体構造は、ポータブルトイレの形状に合わせて角度の変化・形状変化等を特定するものではない。【００２５】本実施形態において、回転体羽根の駆動時間は、上蓋を閉じた後に回転が始動するものであり、回転時間等は予め設定する事が可能である。【００２６】本実施形態において、消滅型ポータブルトイレの回転体は、有機排泄物を処理する量・槽の形状・大きさにより、複数本を適宜選択決定するものであり、その際、消滅型ポータブルトイレ槽内部に投入する消滅資材の量も有機物の処理量も、槽の大きさにより決定するものである。また、図１に示す蓄電池４を外し、図１‐９ｂに示す回転軸をレンチ等により回転させる事も可能である。
【図面の簡単な説明】
【００２７】
【図１】本実施形態の消滅型トイレの全体を示す斜視図である。
【図２】回転軸・羽根の構成図である。
【図３】消滅型ポータブルトイレにかかる電気配線図である。
【符号の説明】
【００２８】１      消滅型ポータブルトイレ斜視図
２      座面
３      上蓋
４      蓄電池・回転体
５      ドレンパイプ
６      ドレンコック
７      消滅資材
８      底部加温ヒーター
９ａ    回転軸
９ｂ    回転軸
１０    回転体
１１    回転羽根
１２    回転軸
１３    配線図
１４    ソーラーパネル
１５    蓄電池
１６    蓋連動回転用モーター
１７    底部ヒーター
１８ａ  入力端子
１８ｂ  出力端子
１９ａ  底部ヒーター入力端子
１９ｂ  回転用モーター入力端子
２０ａ  回転用モーターＳ／Ｗ接点
２０ｂ  回転用モーターＳ／Ｗ接点
２１ａ  給電導線
２１ｂ  給電導線
２２ａ  蓄電池出力導線
２２ｂ  蓄電池出力導線
２３ａ  ヒーター用入力導線
２３ｂ  ヒーター用入力導線
２４ａ  温度コントロール接点
２４ｂ  温度コントロール接点
２５ａ  ソーラーパネル出力端子
２５ｂ  ソーラーパネル出力端子
２６    温度コントローラー
【図１】
2019051283.tif 000003
【図２】
2019051283.tif 000004
【図３】
2019051283.tif 000005